(57)【要約】【課題】立体画像を表示する場合でもムラの少ない表示画像を得られるようにする。【解決手段】補正部２４Ｌは、左目用投射光によって左目用画像表示を行うときの表示特性の不均一性を補正するための第１の補正データを用いて左目用画像信号の補正を行う。補正部２４Ｒは、右目用投射光によって右目用画像表示を行うときの表示特性の不均一性を補正するための第２の補正データを用いて右目用画像信号の補正を行う。補正後の左目用画像信号と右目用画像信号に基づいて形成した左目用画像と右目用画像によって投射光を空間変調して、光学フィルタを介して出射する。スクリーン等に表示される左目用画像と右目用画像は、表示特性の不均一性が補正されて、ムラの少ない良好な画像を得ることができる。【選択図】        図５
2010122344.tif 000002
【特許請求の範囲】
【請求項１】
左目用画像と右目用画像の形成を行う画像形成部と、
前記左目用画像の光を左目用光学フィルタを介して出射し、前記右目用画像の光を前記左目用光学フィルタとは異なる特性の右目用光学フィルタを介して出射して、画像を重ね合わせて表示させる投射部と、
前記左目用光学フィルタを介して出射された光によって表示される画像の不均一性を補正するための第１の補正データを用いて、左目用画像信号の補正を行う第１の補正部と、
前記右目用光学フィルタを介して出射された光によって表示される画像の不均一性を補正するための第２の補正データを用いて、右目用画像信号の補正を行う第２の補正部と、
前記補正後の左目用画像信号と右目用画像信号に基づいて前記画像形成部を駆動して、前記左目用画像と右目用画像を形成させる駆動部と
を備える画像表示装置。
【請求項２】
前記第１の補正データと前記第２の補正データ、または前記左目用光学フィルタを介することなく出射された光によって表示される画像の不均一性を補正するための第３の補正データと、前記右目用光学フィルタを介することなく出射された光によって表示される画像の不均一性を補正するための第４の補正データを選択する補正データ選択部を有し、
前記補正データ選択部は、立体画像表示を行うとき前記第１と第２の補正データを選択し、平面画像表示を行うとき前記第３および第４の補正データを選択し、
前記第１の補正部は、前記補正データ選択部で前記第１の補正データが選択されたとき、該第１の補正データを用いて前記左目用画像信号の補正を行い、前記補正データ選択部で前記第３の補正データが選択されたとき、該第３の補正データを用いて平面画像の画像信号の補正を行い、
前記第２の補正部は、前記補正データ選択部で前記第２の補正データが選択されたとき、該第２の補正データを用いて前記右目用画像信号の補正を行い、前記補正データ選択部で前記第４の補正データが選択されたとき、該第４の補正データを用いて平面画像の画像信号の補正を行い、
前記駆動部は、前記第１の補正部で補正された画像信号と前記第２の補正部で補正された画像信号に基づいて前記画像形成部を駆動して、前記左目用画像と右目用画像、または前記平面画像を形成し、
前記投射部は、前記左目用画像の光を前記左目用光学フィルタを介して出射し、前記右目用画像の光を前記右目用光学フィルタを介して出射し、前記平面画像の光を前記左目用光学フィルタと前記右目用光学フィルタを介することなく出射する
請求項１記載の画像表示装置。
【請求項３】
前記表示特性の不均一性は色または輝度の不均一性である
請求項１記載の画像表示装置。
【請求項４】
前記投射部は、前記光学フィルタとして波長分割フィルタを用い、前記左目用光学フィルタと前記右目用光学フィルタでは異なる波長の光を透過する
請求項１記載の画像表示装置。
【請求項５】
画像形成部によって、左目用画像と右目用画像を形成するステップと、
投射部によって、前記左目用画像の光を左目用光学フィルタを介して出射し、前記右目用画像の光を前記左目用光学フィルタとは異なる特性の右目用光学フィルタを介して出射して、画像を重ね合わせて表示させるステップと、
前記左目用光学フィルタを介して出射された光によって表示される画像の不均一性を補正するための第１の補正データを用いて、第１の補正部で左目用画像信号の補正を行うステップと、
前記右目用光学フィルタを介して出射された光によって表示される画像の不均一性を補正するための第２の補正データを用いて、第２の補正部で右目用画像信号の補正を行うステップと、
駆動部によって、前記補正後の左目用画像信号と右目用画像信号に基づいて前記画像形成部を駆動して、前記画像形成部によって左目用画像と右目用画像を形成させるステップと
を有する画像表示方法。
【発明の詳細な説明】
【技術分野】
【０００１】
この発明は、本発明は画像表示装置および画像表示方法に関する。詳しくは、左目用画像と右目用画像の光を出射することで立体画像の表示をする画像表示装置および画像表示方法に関する。
【背景技術】
【０００２】
従来、１つの画像表示装置を用いて左目用画像と右目用画像とをスクリーンに投影して立体画像を表示する提案がなされている。例えば、特許文献１では、表示デバイスの表示領域の略半分を左目用の画像の領域、他の領域を右目用の画像の領域として、表示された左目用と右目用の画像の光をスプリットミラーで分離する。さらに、分離した光を光学特性の異なる光学フィルタを介してスクリーン上に重ね合わせて投影することで、立体画像を表示することが行われている。
【０００３】
また、特許文献２では、２次元の画像コンテンツの画像信号が入力されたとき、画像コンテンツを平面画像として表示する。また、３次元の画像コンテンツの画像信号が入力されたとき、光学フィルタを用いて例えば光の偏光方向を右目用の画像と左目用の画像で切り替える等の処理を行い、画像コンテンツを立体画像として表示することが行われている。
【０００４】
【特許文献１】特開２００７−２７１８２８号公報
【特許文献２】特開２００５−６５０５５号公報
【発明の開示】
【発明が解決しようとする課題】
【０００５】
ところで、立体画像を表示するために光学フィルタを用いた場合、この光学フィルタを用いたことにより表示される画像の特性が変化してしまう場合がある。
【０００６】
図１は、平面画像と立体画像を表示したときの、表示画像の特性変化を例示している。画像表示装置では、例えば平面画像の画像コンテンツの画像信号に基づいて平面画像を表示するとき、図１の（Ａ）に示すように、表示特性の不均一性例えば色ムラまたは輝度ムラを生じないようにムラ補正が行われる。
【０００７】
また、波長分割方式で立体画像の表示を行う場合、出射される光の波長が光学フィルタによって制限される。図２は、左目用波長分割フィルタと右目用波長分割フィルタの機能を説明するための図である。図２の（Ａ）は、左目用波長分割フィルタと右目用波長分割フィルタに入射される光の強度をモデル化して示している。また、図２の（Ｂ）は、左目用波長分割フィルタのフィルタ特性、図２の（Ｃ）は、右目用波長分割フィルタのフィルタ特性を示している。
【０００８】
左目用波長分割フィルタによって処理された光は、図２の（Ｄ）に示す左目用の各色成分の光となる。また、右目用波長分割フィルタによって処理された光は、図２の（Ｄ）に示す右目用の各色成分の光となる。
【０００９】
ここで、平面画像を表示するときのムラ補正は、図２の（Ａ）に示す各色成分の光が出射されたときに、表示された画像でムラを生じないように補正が行われる。このため、波長分割フィルタによって透過する光の波長が図２の（Ｄ）に示すように制限されると、図１の（Ｂ）に示すように、表示される画像でムラが目立ってしまう場合が生じてしまう場合がある。
【００１０】
そこで、この発明では立体画像を表示する場合にも、ムラの少ない表示画像を得ることができる画像表示装置と画像表示方法を提供することを目的とする。
【課題を解決するための手段】
【００１１】
この発明の第１の側面は、左目用画像と右目用画像の形成を行う画像形成部と、前記左目用画像の光を左目用光学フィルタを介して出射し、前記右目用画像の光を前記左目用光学フィルタとは異なる特性の右目用光学フィルタを介して出射して、画像を重ね合わせて表示させる投射部と、前記左目用光学フィルタを介して出射された光によって表示される画像の不均一性を補正するための第１の補正データを用いて、左目用画像信号の補正を行う第１の補正部と、前記右目用光学フィルタを介して出射された光によって表示される画像の不均一性を補正するための第２の補正データを用いて、右目用画像信号の補正を行う第２の補正部と、前記補正後の左目用画像信号と右目用画像信号に基づいて前記画像形成部を駆動して、前記左目用画像と右目用画像を形成させる駆動部とを備える画像表示装置にある。
【００１２】
この発明において、左目用光学フィルタを介して出射された光によって表示される画像の不均一性、例えば色ムラまたは輝度ムラを補正するための第１の補正データが第１の補正データ記憶部に記憶される。また、右目用光学フィルタを介して出射された光によって表示される画像の不均一性を補正するための第２の補正データが第２の補正データ記憶部に記憶される。第１の補正部では、第１の補正データ記憶部に記憶されている第１の補正データを用いて左目用画像信号の補正が行われる。第２の補正部では、第２の補正データ記憶部に記憶されている第２の補正データを用いて右目用画像信号の補正が行われる。この補正後の左目用画像信号と右目用画像信号に基づいて画像形成部が駆動されて、左目用画像と右目用画像が画像形成部で形成される。この形成された左目用画像の光が左目用光学フィルタを介して出射される。また、形成された右目用画像の光が右目用光学フィルタを介して出射されて、左目用画像と右目用画像が重ね合わせて表示される。
【００１３】
この発明の第２の側面は、画像形成部によって、左目用画像と右目用画像を形成するステップと、投射部によって、前記左目用画像の光を左目用光学フィルタを介して出射し、前記右目用画像の光を前記左目用光学フィルタとは異なる特性の右目用光学フィルタを介して出射して、画像を重ね合わせて表示させるステップと、前記左目用光学フィルタを介して出射された光によって表示される画像の不均一性を補正するための第１の補正データを用いて、第１の補正部で左目用画像信号の補正を行うステップと、前記右目用光学フィルタを介して出射された光によって表示される画像の不均一性を補正するための第２の補正データを用いて、第２の補正部で右目用画像信号の補正を行うステップと、駆動部によって、前記補正後の左目用画像信号と右目用画像信号に基づいて前記画像形成部を駆動して、前記画像形成部によって左目用画像と右目用画像を形成させるステップとを有する画像表示方法にある。
【発明の効果】
【００１４】
この発明によれば、左目用光学フィルタを介して出射された光によって表示される画像の不均一性を補正するための第１の補正データを用いて、左目用画像信号の補正が行われる。また、右目用光学フィルタを介して出射された光によって表示される画像の不均一性を補正するための第２の補正データを用いて、右目用画像信号の補正が行われる。この補正後の左目用画像信号と右目用画像信号に基づいて左目用画像と右目用画像が形成されて、左目用画像の光が左目用光学フィルタを介して出射されて、右目用画像の光が右目用光学フィルタを介して出射される。このため、スクリーン等に表示される左目用画像と右目用画像は、色ムラ等の不均一性が補正されて、ムラの少ない良好な画像を得ることができる。
【発明を実施するための最良の形態】
【００１５】
以下、発明を実施するための最良の形態（以下実施の形態とする）について説明する。
なお、説明は以下の順序で行う。
１．画像表示装置の光学系の構成
２．画像表示装置の電気系の構成
３．画像表示装置の動作
４．補正データの設定方法
【００１６】
＜１．画像表示装置の光学系の構成＞
図３は、画像表示装置１０の光学系の構成を示す図である。画像表示装置１０の光学系は、光源部１１、照明光学部１２、画像形成部１３、画像合成部１４および投射部１５を備えている。なお、図４では、波長分割フィルタを使用して立体画像の表示を行う波長分割方式の画像表示装置を示しているが、画像表示装置１０は、波長分割方式とは異なる方式例えば偏光フィルタを用いる偏光表示方式等の画像表示装置であってもよい。
【００１７】
光源部１１は、光源１１１および反射集光鏡１１２を用いて構成されている。光源１１１では、白色光を発する例えば超高圧水銀ランプのような放電ランプやメタルハライドランプまたはキセノンランプ等が用いる。反射集光鏡１１２は、光源１１１から出射された光を集光して照明光学部１２に向けて出射する。
【００１８】
照明光学部１２は、コリメータレンズ１２１、光学フィルタ１２２、ＭＬＡ(Micro Lens Array)１２３、ダイクロイックミラー１２４ｒ，１２４ｇ、反射ミラー１２５，１２６，１２７等で構成されている。
【００１９】
コリメータレンズ１２１は、光源部１１から出射された照明光を平行束として光学フィルタ１２２に出射する。光学フィルタ１２２は、照明光に含まれている不要な波長領域の光を除去する。例えば、光学フィルタ１２２は、赤外線領域や紫外線領域の光を除去する。
【００２０】
ＭＬＡ(Micro Lens Array)１２３は、複数のレンズがアレイ状に配置されたものである。ＭＬＡ１２３は、不要な波長領域の光が除去された照明光を複数の光束に分割して集光することで、照明光を後述する液晶パネル１３１ｒ，１３１ｇ，１３１ｂへムラなく出射する。
【００２１】
ダイクロイックミラー１２４ｒは、ＭＬＡ１２３から出射された照明光Ｌの光軸に対して例えば４５度傾斜して設けられている。このダイクロイックミラー１２４ｒは、照明光Ｌのうち、赤色光Ｌｒのみ反射ミラー１２５に向けて反射し、その他の波長領域の光Ｌｇｂを透過する。
【００２２】
反射ミラー１２５は、ダイクロイックミラー１２４ｒで反射された赤色光Ｌｒの光軸に対して例えば４５度傾斜しており、赤色光Ｌｒを液晶パネル１３１ｒに向けて反射する。
【００２３】
ダイクロイックミラー１２４ｇは、ダイクロイックミラー１２４ｒを透過した光Ｌｇｂの光軸に対して例えば４５度傾斜して設けられている。このダイクロイックミラー１２４ｇは、ダイクロイックミラー１２４ｒを透過した光Ｌｇｂのうち緑色光Ｌｇのみを液晶パネル１３１ｇに向けて反射し、その他の波長領域の光、すなわち青色光Ｌｂを透過する。
【００２４】
反射ミラー１２６は、ダイクロイックミラー１２４ｇを透過した青色光Ｌｂの光軸に対して例えば４５度傾斜しており、青色光Ｌｂを反射ミラー１２７に向けて反射する。
【００２５】
反射ミラー１２７は、反射ミラー１２６で反射された青色光Ｌｂの光軸に対して例えば４５度傾斜しており、青色光Ｌｂを液晶パネル１３１ｂに向けて反射する。
【００２６】
画像形成部１３は、透過型の液晶パネル１３１ｒ，１３１ｇ，１３１ｂを用いて構成されている。この液晶パネル１３１ｒ，１３１ｇ，１３１ｂは、表示領域が同じ形状で同じ解像度とされている。画像合成部１４は、例えばダイクロイックプリズム１４１を用いて構成されている。液晶パネル１３１ｒは、立方体形状のダイクロイックプリズム１４１における１つの面の所定位置に配置されている。液晶パネル１３１ｇは、ダイクロイックプリズム１４１の他の面の所定位置に配置されている。さらに、液晶パネル１３１ｂは、ダイクロイックプリズム１４１の他の面の所定の位置に配置されている。
【００２７】
液晶パネル１３１ｒは、後述する駆動部２５Ｌ，２５Ｒからの赤色駆動信号ＤＲｒに基づいて駆動されて、表示する画像の赤色成分画を生成する。このため、液晶パネル１３１ｒを透過する照明光の赤色成分である赤色光Ｌｒは、赤色成分画によって変調されて画像合成部１４に入射される。
【００２８】
液晶パネル１３１ｇは、後述する駆動部２５Ｌ，２５Ｒからの緑色駆動信号ＤＲｇに基づいて駆動されて、表示する画像の緑色成分画を生成する。このため、液晶パネル１３１ｇを透過する照明光の緑色成分である緑色光Ｌｇは、緑色成分画によって変調されて画像合成部１４に入射される。
【００２９】
液晶パネル１３１ｂは、後述する駆動部２５Ｌ，２５Ｒからの青色駆動信号ＤＲｂに基づいて駆動されて、表示する画像の青色成分画を生成する。このため、液晶パネル１３１ｂを透過する照明光の青色成分である青色光Ｌｂは、青色成分画によって変調されて画像合成部１４に入射される。
【００３０】
ダイクロイックプリズム１４１は、複数のガラスプリズムを接合することによって構成されており、各ガラスプリズムの接合面には、所定の光学特性を有する干渉フィルタ１４２ｂ，１４２ｒが形成されている。干渉フィルタ１４２ｂは、青色光Ｌｂを反射し、赤色光Ｌｒおよび緑色光Ｌｇを透過する。干渉フィルタ１４２ｒは、赤色光Ｌｒを反射し、緑色光Ｌｇおよび青色光Ｌｂを透過する。したがって、液晶パネル１３１ｒ，１３１ｇ，１３１ｂによって変調された各色の光Ｌｒ，Ｌｇ，Ｌｂは、合成されて投射部１５に入射される。
【００３１】
また、液晶パネル１３１ｒ，１３１ｇ，１３１ｂは、表示領域が区分されており、左目用と右目用の各色成分画を生成する。したがって、投射部１５には、左目用と右目用の画像を示す光が入射される。図４は、投射部１５に入射される画像を例示している。例えば、液晶パネル１３１ｒ，１３１ｇ，１３１ｂの表示領域を、図４の（Ａ）に示すように上下に区分して、斜線で示す左目用表示領域ＷＬと右目用表示領域ＷＲで各色成分画を生成する。この場合、投射部１５に入射される画像は、図４の（Ｂ）に示すようになる。
【００３２】
また、液晶パネル１３１ｒ，１３１ｇ，１３１ｂの表示領域を、図４の（Ｃ）に示すように左右に区分して、斜線で示す左目用表示領域ＷＬと右目用表示領域ＷＲで各色成分画を生成してもよい。また、液晶パネル１３１ｒ，１３１ｇ，１３１ｂの表示領域を、図４の（Ｄ）に示すように左右に区分して、領域全体で各色成分画を生成してもよい。
【００３３】
さらに、画像形成部１３は、透過型の液晶パネルを用いる場合に限られるものではなく、例えば反射型液晶パネルを用いてもよい。さらに、多数の微小な反射ミラーを用いたＤＭＤ(Digital Micro mirror Device)を用いて、表示する画像の各色成分画を生成して投射部１５に入射してもよい。
【００３４】
投射部１５は、リレーレンズ１５１、導光部１５２，１５３、左目用投影レンズ１５４、右目用投影レンズ１５５、左目用波長分割フィルタ１５６、右目用波長分割フィルタ１５７、レンズシフト機構１５８等を用いて構成されている。
【００３５】
リレーレンズ１５１は、実像を伝達するレンズ系であり、画像合成部１４から入射された像を右目用と右目用の実像に分離して導光部１５２に出射する。
【００３６】
導光部１５２，１５３は、リレーレンズ１５１によって結像された左目用の実像と右目用の実像とを別々に導く。導光部１５２は、入射面１５２１、第１の反射面１５２２、第２の反射面１５２３、出射面１５２４を備えている。入射面１５２１は、左目用の実像が入射される面である。第１の反射面１５２２は、入射面１５２１から入射された左目用の実像をリレーレンズ１５１の光軸に対して略９０度屈曲させて反射させる面である。第２の反射面１５２３は、第１の反射面１５２２で反射された左目用の実像をリレーレンズ１５１の光軸と平行する方向に概略９０度屈曲させる面である。出射面１５２４は、第２の反射面１５２３で反射された左目用の実像をリレーレンズ１５１の光軸と平行する方向に出射する面である。
【００３７】
導光部１５３は、入射面１５３１、第１の反射面１５３２、第２の反射面１５３３、出射面１５３４を備えている。入射面１５３１は、右目用の実像が入射される面である。第１の反射面１５３２は、入射面１５３１から入射された右目用の実像をリレーレンズ１５１の光軸に対して略９０度屈曲させて反射させる面である。第２の反射面１５３３は、第１の反射面１５３２で反射された右目用の実像をリレーレンズ１５１の光軸と平行する方向に概略９０度屈曲させる面である。出射面１５３４は、第２の反射面１５３３で反射された右目用の実像をリレーレンズ１５１の光軸と平行する方向に出射する面である。
【００３８】
また、導光部１５２によって構成される光路と、導光部１５３によって構成される光路は、同一平面上に設けられて、かつ、リレーレンズ１５１の光軸と直交する方向に間隔をおいて形成される。したがって、導光部１５２の出射面１５２４と、導光部１５３の出射面１５３４とは、リレーレンズ１５１の光軸と直交する方向に所定間隔をおいた箇所に位置している。
【００３９】
左目用投影レンズ１５４は、導光部１５２によって導かれた左目用の実像をスクリーン５０に投影して左目用の画像を結像する。
【００４０】
右目用投影レンズ１５５は、導光部１５３によって導かれた右目用合成画像の実像をスクリーン５０に投影して右目用の画像を結像する。
【００４１】
さらに、投射部１５には、レンズシフト機構１５８が設けられている。レンズシフト機構１５８は、左目用投影レンズ１５４および右目用投影レンズ１５５の光軸が互いに平行した状態で、それらの光軸と直交する方向において左目用投影レンズ１５４と右目用投影レンズ１５５との間の距離を調整する。このレンズシフト機構１５８によって、左目用投影レンズ１５４と右目用投影レンズ１５５間の距離を調整することで、スクリーン５０までの距離に拘わらず、スクリーン５０上に表示される左目用の画像と右目用の画像とを重ね合わせて表示することが可能となる。
【００４２】
左目用波長分割フィルタ１５６は、左目用投影レンズ１５４の出射面に配置されて、左目用投影レンズ１５４から出射される左目用画像の波長分割を行い、所定の波長成分で構成された左目用の画像を透過する。右目用波長分割フィルタ１５７は、右目用投影レンズ１５５の出射面に配置されて、右目用投影レンズ１５５から出射される右目用画像の波長分割を行い、左目用波長分割フィルタ１５６とは異なる波長成分で構成された右目用の画像を透過する。なお、左目用波長分割フィルタ１５６を左目用投影レンズ１５４の入射面、右目用波長分割フィルタ１５７を右目用投影レンズ１５５の入射面に設けるようにしてもよい。
【００４３】
左目用波長分割フィルタ１５６のフィルタ特性は、例えば上述の図２の（Ｂ）に示す特性とする。また、右目用波長分割フィルタ１５７のフィルタ特性は、上述の図２の（Ｃ）に示す特性とする。
【００４４】
左目用波長分割フィルタ１５６によってフィルタ処理された光は、図２の（Ｄ）に示す左目用の各色成分の光となる。また、右目用波長分割フィルタ１５７によってフィルタ処理された光は、図２の（Ｄ）に示す右目用の各色成分の光となる。
【００４５】
したがって、スクリーン５０上には、波長が異なる左目用の画像と右目用の画像が重ねて表示される。また、左目用波長分割フィルタが左目用のレンズに設けられており、右目用波長分割フィルタが右目用のレンズに設けられている立体視用眼鏡を用いてスクリーン５０上の画像を見れば、スクリーン５０上に表示された画像は立体画像として視認される。
【００４６】
＜２．画像表示装置の電気系の構成＞
次に、画像表示装置の電気系の構成について図５を用いて説明する。画像表示装置１０は、信号処理部２１Ｌ，２１Ｒ、補正データ記憶部２２Ｌ-2D，２２Ｌ-3D，２２Ｒ-2D，２２Ｒ-3D、補正データ選択部２３、補正部２４Ｌ，２４Ｒ、駆動部２５Ｌ，２５Ｒ、タイミング信号生成部２９等を備えている。また、画像表示装置１０には、画像信号出力装置６０と制御装置７０が接続されている。
【００４７】
画像信号出力装置６０は、平面画像の画像コンテンツ（以下「２Ｄコンテンツ」という）が記録された記録媒体の再生等を行い、平面画像の画像信号を画像表示装置１０に供給する。また、画像信号出力装置６０は、立体画像の画像コンテンツ（以下「３Ｄコンテンツ」という）が記録された記録媒体の再生等を行い、左目用の画像信号と右目用の画像信号を画像表示装置１０に供給する。
【００４８】
制御装置７０は、画像信号出力装置６０を制御して、所望の２Ｄコンテンツや３Ｄコンテンツの画像信号を出力させる。また、制御装置７０は、画像信号出力装置６０から出力されるコンテンツの画像信号が、２Ｄコンテンツと３Ｄコンテンツの何れであるかを示す識別信号を、画像表示装置１０に供給する。
【００４９】
画像表示装置１０の信号処理部２１Ｌは、入力された左目用画像信号を画像形成部１３に適合したフレームレートに変換するフレームレート変換処理、インターレース信号をプログレッシブ信号に変換するＩＰ変換処理を必要に応じて行う。また、信号処理部２１Ｌは、入力された左目用画像信号の解像度を画像形成部１３に適合するように変換する解像度変換処理、画像形成部１３に対応したカラー変換処理等を必要に応じて行い、信号処理後の左目用画像信号を補正部２４Ｌに供給する。また、画像表示装置１０の信号処理部２１Ｒも信号処理部２１Ｌと同様な処理を必要に応じて行い、信号処理後の右目用画像信号を補正部２４Ｒに供給する。
【００５０】
補正部２４Ｌ，２４Ｒには、補正データ選択部２３が接続されている。また、補正データ選択部２３には、補正データ記憶部２２Ｌ-2D，２２Ｌ-3D，２２Ｒ-2D，２２Ｒ-3Dが接続されている。
【００５１】
補正データ記憶部２２Ｌ-2Dには、左目用光学フィルタを介することなく出射された光によって表示される画像の不均一性を補正するための補正データが記憶されている。すなわち、２Ｄコンテンツの画像を表示するとき、信号処理部２１Ｌから供給された画像信号に対して、補正部２４Ｌで画像の不均一性の補正例えばムラ補正を行うときに用いられる補正データが記憶されている。
【００５２】
補正データ記憶部２２Ｌ-3Dには、左目用光学フィルタを介して出射された光によって表示される画像の不均一性を補正するための補正データが記憶されている。すなわち、３Ｄコンテンツの画像を表示するとき、信号処理部２１Ｌから供給された画像信号に対して、補正部２４Ｌで画像の不均一性の補正例えばムラ補正を行うときに用いられる補正データが記憶されている。
【００５３】
補正データ記憶部２２Ｒ-2Dには、右目用光学フィルタを介することなく出射された光によって表示される画像の不均一性を補正するための補正データが記憶されている。すなわち、２Ｄコンテンツの画像を表示するとき、信号処理部２１Ｒから供給された画像信号に対して、補正部２４Ｒで画像の不均一性の補正例えばムラ補正を行うときに用いられる補正データが記憶されている。
【００５４】
補正データ記憶部２２Ｒ-3Dには、右目用光学フィルタを介して出射された光によって表示される画像の不均一性を補正するための補正データが記憶されている。すなわち、３Ｄコンテンツの画像を表示するとき、信号処理部２１Ｒから供給された画像信号に対して、補正部２４Ｒで画像の不均一性の補正例えばムラ補正を行うときに用いられる補正データが記憶されている。
【００５５】
補正データ選択部２３は、制御装置７０からの識別信号に基づいて補正部２４Ｌ，２４Ｒで用いられる補正データの選択を行う。すなわち、２Ｄコンテンツの画像の表示が行われるとき、補正データ選択部２３は、補正データ記憶部２２Ｌ-2Dに記憶されている補正データを選択して、補正部２４Ｌで用いられるようにする。また、補正データ選択部２３は、補正データ記憶部２２Ｒ-2Dに記憶されている補正データを選択して、補正部２４Ｒで用いられるようにする。さらに、３Ｄコンテンツの画像の表示が行われるとき、補正データ選択部２３は、補正データ記憶部２２Ｌ-3Dに記憶されている補正データを選択して、補正部２４Ｌで用いられるようにする。また、補正データ選択部２３は、補正データ記憶部２２Ｒ-3Dに記憶されている補正データを選択して、補正部２４Ｒで用いられるようにする。
【００５６】
補正部２４Ｌは、信号処理部２１Ｌから供給された画像信号に基づいて表示される画像の例えば色の不均一性を、補正データ選択部２３で選択された補正データ記憶部に記憶されている補正データを用いて補正する。
【００５７】
補正部２４Ｒは、信号処理部２１Ｒから供給された画像信号に基づいて表示される画像の例えば色の不均一性を、補正データ選択部２３で選択された補正データ記憶部に記憶されている補正データを用いて補正する。
【００５８】
ここで、補正データについて説明をしておく。スクリーン５０に表示される画像のムラは、水平／  垂直方向による二次元的な空間における不均一性であるから、この二次元空間に対応した補正データが必要となる。二次元の補正データを得るにあたり、図６に示すように、表示画像（表示画面）の水平方向（Ｘ方向）と垂直方向（Ｙ方向）の端縁側に、水平方向ではｍ画素単位、また垂直方向ではｎ画素単位で基準補正点（斜線で示す）を設定する。また、表示画像内でも所定の画素数単位（ｍ×ｎ）で基準補正点を設定して、各基準補正点で色を計測する。その計測結果に応じて、基準補正点毎に所定の色となるように補正データを設定する。このようにして設定された補正データの集合が二次元の補正データとなる。
【００５９】
また、表示画像の輝度に応じてムラが変化する場合、複数の輝度レベル毎に、二次元の補正データを求めて、補正データ記憶部２２Ｌ-2D，２２Ｌ-3D，２２Ｒ-2D，２２Ｒ-3Dに記憶させておく。図７は、補正データの構成を模式的に示した図である。ここで、信号処理部２１Ｌから、三原色である赤画像信号ＤＳｒ、緑画像信号ＤＳｇ、青画像信号ＤＳｂが補正部２３Ｌに供給されるとき、赤画像信号ＤＳｒと緑画像信号ＤＳｇと青画像信号ＤＳｂに対して、図７に示す補正データを画像信号毎に求めておく。また、複数の輝度レベル毎に、輝度レベルに対応した画像信号の信号レベルについて二次元の補正データのセットを記憶させておく。なお、図７では、表示画像（表示画面）の水平方向をＸ方向、垂直方向をＹ方向、信号レベル方向をＺ方向として、補正データの３つのセットＤｈ１，Ｄｈ２，Ｄｈ３を三次元空間で示している。
【００６０】
図８は、補正部の構成を例示している。なお、図８では、補正部２４Ｌに赤画像信号ＤＳｒ、緑画像信号ＤＳｇ、青画像信号ＤＳｂが入力される場合の構成を示している。
【００６１】
赤画像信号ＤＳｒは、補正データ記憶部２２Ｌ-2D（２２Ｌ-3D）と加算器２４２ｒに供給される。緑画像信号ＤＳｇは、補正データ記憶部２２Ｌ-2D（２２Ｌ-3D）と加算器２４２ｒに供給される。青画像信号ＤＳｂは、補正データ記憶部２２Ｌ-2D（２２Ｌ-3D）と加算器２４２ｂに供給される。
【００６２】
補正データ記憶部２２Ｌ-2D（２２Ｌ-3D）は、補正する画素位置および補正する画素の色毎の信号レベルを図７に示す三次元空間における基準位置として、この基準位置に近傍する基準補正点の補正データを補正データ決定部２４１ｒ，２４１ｇ，２４１ｂに供給する。
【００６３】
図９は、補正データ記憶部２２Ｌ-2D（２２Ｌ-3D）から読み出される補正データを説明するための図である。ここで、補正する画素の位置を（ｘp，ｙp）、例えば赤画像信号ＤＳｒの信号レベルを（ｚp）とする。この場合、位置（ｘp）に近接した基準補正点は位置（ｘi），（ｘi+1）の基準補正点であり、位置（ｙp）に近接した基準補正点は位置（ｙj），（ｙj+1）の基準補正点である。また、信号レベル（ｚp）に近接した信号レベルは信号レベル（ｚk），（ｚk+1）である。すなわち、補正する画素の位置が（ｘp，ｙp）で信号レベルが（ｚp）であるとき、近傍する基準補正点の補正データは、図９における８つの位置（ｘi，ｙj，ｚk）〜（ｘi+1，ｙj+1，ｚk+1）の補正データとなる。
【００６４】
したがって、補正データ記憶部２２Ｌ-2D（２２Ｌ-3D）は、後述するタイミング信号生成部２９から供給されたタイミング信号に基づき、補正する画素の位置（ｘp，ｙp）を判別して、この判別結果と補正部から供給された画像信号の信号レベル（ｚp）に基づき、８つの位置（ｘi，ｙj，ｚk）〜（ｘi+1，ｙj+1，ｚk+1）の補正データＤＨｒ1〜ＤＨｒ8を補正データ決定部２４１ｒに供給する。同様に、補正データ記憶部２２Ｌ-2D（２２Ｌ-3D）は、緑画像信号ＤＳｇ基づく８つの位置の補正データＤＨｇ1〜ＤＨｇ8を補正データ決定部２４１ｇ、青画像信号ＤＳｂ基づく８つの位置の補正データＤＨｂ1〜ＤＨｂ8を補正データ決定部２４１ｂに供給する。
【００６５】
図８に示す補正データ決定部２４１ｒは、補正データ記憶部２２Ｌ-2D（２２Ｌ-3D）から供給された複数の補正データを用いて補間を行い、例えば８つの位置の補正データＤＨｒ1〜ＤＨｒ8を用いて直線補間を行い、補正する画素位置および補正する画素の赤画像信号ＤＳｒの信号レベルに応じた赤補正データＤＨｒｃを決定して、加算器２４２ｒに供給する。
【００６６】
同様に、補正データ決定部２４１ｇは、補正データ記憶部２２Ｌ-2D（２２Ｌ-3D）から供給された複数の補正データを用いて補間を行い、補正する画素位置および補正する画素の緑画像信号ＤＳｇの信号レベルに応じた緑補正データＤＨｇｃを決定して、加算器２４２ｇに供給する。また、補正データ決定部２４１ｂは、補正データ記憶部２２Ｌ-2D（２２Ｌ-3D）から供給された複数の補正データを用いて補間を行い、補正する画素位置および補正する画素の青画像信号ＤＳｒの信号レベルに応じた青補正データＤＨｂｃを決定して、加算器２４２ｂに供給する。
【００６７】
加算器２４２ｒは、補正データ決定部２４１ｒから供給された赤補正データＤＨｒｃと赤画像信号ＤＳｒを加算することでムラ補正が行われた赤画像信号ＤＳｒｃを生成して、駆動部２５Ｌに出力する。
【００６８】
加算器２４２ｇは、補正データ決定部２４１ｇから供給された緑補正データＤＨｇｃと緑画像信号ＤＳｇを加算することでムラ補正が行われた緑画像信号ＤＳｇｃを生成して、駆動部２５Ｌに出力する。
【００６９】
加算器２４２ｂは、補正データ決定部２４１ｂから供給された青補正データＤＨｂｃと青画像信号ＤＳｂを加算することでムラ補正が行われた緑画像信号ＤＳｂｃを生成して、駆動部２５Ｌに出力する。
【００７０】
図５に示す補正部２４Ｒは、補正部２４Ｌと同様にして、信号処理部２１Ｒから入力された三原色である赤画像信号と緑画像信号と青画像信号を、補正データ記憶部２２Ｒ-2D（２２Ｒ-3D）から読み出された色毎の補正データを用いて補正する。また、補正部２４Ｒは、ムラ補正後の赤画像信号と緑画像信号と青画像信号を駆動部２５Ｒに出力する。
【００７１】
なお、補正データの設定は、８つの補正データを用いた補間によって求める場合に限られるものではない。例えば、全ての画素位置の補正データを複数信号レベル毎に記憶させておき、補正する画素と画素位置が等しい２つの信号レベルの補正データを用いて、補正する画素の信号レベルに応じて２つの信号レベルから補間によって補正データを設定することも可能である。また、補正データは、補正量だけでなく、補正の割合等を示すデータであってもよい。
【００７２】
駆動部２５Ｌは、補正部２４Ｌから供給された赤画像信号に基づき、液晶パネル１３１ｒの左目用表示領域を駆動する駆動信号を生成して液晶パネル１３１ｒに出力する。また、駆動部２５Ｌは、補正部２４Ｌから供給されたムラ補正後の緑画像信号に基づき、液晶パネル１３１ｇの左目用表示領域を駆動する駆動信号を生成して液晶パネル１３１ｇに出力する。さらに、駆動部２５Ｌは、補正部２４Ｌから供給されたムラ補正後の青画像信号に基づき、液晶パネル１３１ｂの左目用表示領域を駆動する駆動信号を生成して、液晶パネル１３１ｂに出力する。
【００７３】
駆動部２５Ｒは、補正部２４Ｒから供給されたムラ補正後の赤画像信号に基づき、液晶パネル１３１ｒの右目用表示領域を駆動する駆動信号を生成して液晶パネル１３１ｒに出力する。また、駆動部２５Ｒは、補正部２４Ｒから供給されたムラ補正後の緑画像信号に基づき、液晶パネル１３１ｇの右目用表示領域を駆動する駆動信号を生成して液晶パネル１３１ｇに出力する。さらに、駆動部２５Ｒは、補正部２４Ｒから供給されたムラ補正後の青画像信号に基づき、液晶パネル１３１ｂの右目用表示領域を駆動する駆動信号を生成して、液晶パネル１３１ｂに出力する。
【００７４】
タイミング信号生成部２９は、画像信号出力装置６０から供給された同期信号等や画像表示装置１０に供給された画像信号から抽出した同期信号等に基づき種々のタイミング信号を生成する。また、タイミング信号生成部２９は、生成したタイミング信号を、補正データ記憶部２２Ｌ-2D，２２Ｌ-3D，２２Ｒ-2D，２２Ｒ-3Dや補正部２４Ｌ，２４Ｒ等に供給して各部を同期して動作させる。さらに、補正する画素に応じた補正データを補正データ記憶部２２Ｌ-2D，２２Ｌ-3D，２２Ｒ-2D，２２Ｒ-3Dから補正部２４Ｌ，２４Ｒに供給できるようにする。
【００７５】
＜３．画像表示装置の動作＞
次に画像表示装置の動作について説明する。２Ｄコンテンツの画像を表示する場合、制御装置７０は、画像信号出力装置６０を制御して２Ｄコンテンツの画像信号を画像表示装置１０に出力させる。また、制御装置７０は、画像信号出力装置６０から出力される画像信号が、２Ｄコンテンツの画像信号であることを示す識別信号を、画像表示装置１０に出力する。
【００７６】
画像表示装置１０の信号処理部２１Ｌは、フレームレート変換処理やＩＰ変換処理、解像度変換処理、カラー変換処理等を必要に応じて行い、信号処理後の画像信号を補正部２４Ｌに供給する。また、画像表示装置１０の信号処理部２１Ｒも信号処理部２１Ｌと同様な処理を必要に応じて行い、信号処理後の画像信号を補正部２４Ｒに供給する。
【００７７】
補正データ選択部２３は、制御装置７０からの識別信号が２Ｄコンテンツの画像信号であることを示しているとき、補正データ記憶部２２Ｌ-2D，２２Ｒ-2Dを選択する。なお、補正データ記憶部２２Ｌ-2D，２２Ｒ-2Dには、２Ｄコンテンツの画像を表示するときに、色ムラを生じないように設定された補正データが予め記憶されている。
【００７８】
補正部２４Ｌは、補正データ記憶部２２Ｌ-2Dから読み出された画素毎の補正データを用いてムラ補正を行い、ムラ補正後の画像信号を駆動部２５Ｌに出力する。補正部２４Ｒは、補正データ記憶部２２Ｒ-2Dから読み出された補正データを用いてムラ補正を行い、ムラ補正後の画像信号を駆動部２５Ｒに出力する。
【００７９】
駆動部２５Ｌは、補正部２４Ｌから供給されたムラ補正後の赤画像信号に基づき、液晶パネル１３１ｒの左目用表示領域を駆動する駆動信号を生成して液晶パネル１３１ｒに出力する。また、駆動部２５Ｌは、補正部２４Ｌから供給されたムラ補正後の緑画像信号に基づき、液晶パネル１３１ｇの左目用表示領域を駆動する駆動信号を生成して液晶パネル１３１ｇに出力する。さらに、駆動部２５Ｌは、補正部２４Ｌから供給されたムラ補正後の青画像信号に基づき、液晶パネル１３１ｂの左目用表示領域を駆動する駆動信号を生成して、液晶パネル１３１ｂに出力する。
【００８０】
駆動部２５Ｒは、補正部２４Ｒから供給されたムラ補正後の赤画像信号に基づき、液晶パネル１３１ｒの右目用表示領域を駆動する駆動信号を生成して液晶パネル１３１ｒに出力する。また、駆動部２５Ｒは、補正部２４Ｒから供給されたムラ補正後の緑画像信号に基づき、液晶パネル１３１ｇの右目用表示領域を駆動する駆動信号を生成して液晶パネル１３１ｇに出力する。さらに、駆動部２５Ｒは、補正部２４Ｒから供給されたムラ補正後の青画像信号に基づき、液晶パネル１３１ｂの右目用表示領域を駆動する駆動信号を生成して、液晶パネル１３１ｂに出力する。
【００８１】
また、画像表示装置１０は、左目用波長分割フィルタ１５６と右目用波長分割フィルタ１５７を用いることなく、スクリーン５０に画像を表示する。
【００８２】
このように、２Ｄコンテンツの画像を表示する場合、補正部２４Ｌでは、左目用波長分割フィルタ１５６を介することなく出射された光によって表示される画像の不均一性を補正するための補正データを用いてムラ補正が行われる。また、補正部２４Ｒでは、右目用波長分割フィルタ１５７を介することなく出射された光によって表示される画像の不均一性を補正するための補正データを用いてムラ補正が行われる。したがって、表示される２Ｄコンテンツの画像における不均一性を良好に補正することができる。
【００８３】
３Ｄコンテンツの画像を表示する場合、制御装置７０は、画像信号出力装置６０を制御して３Ｄコンテンツの画像信号を画像表示装置１０に出力させる。また、制御装置７０は、画像信号出力装置６０から出力される画像信号が、３Ｄコンテンツの画像であることを示す識別信号を、画像表示装置１０に出力する。
【００８４】
画像表示装置１０の信号処理部２１Ｌは、画像信号出力装置６０から供給された左目用画像信号のフレームレート変換処理やＩＰ変換処理、解像度変換処理、カラー変換処理等を必要に応じて行い、信号処理後の左目用画像信号を補正部２４Ｌに供給する。また、信号処理部２１Ｌと同様に、信号処理部２１Ｒも画像信号出力装置６０から供給された右目用画像信号の処理を必要に応じて行い、信号処理後の右目用画像信号を補正部２４Ｒに供給する。
【００８５】
補正データ選択部２３は、制御装置７０からの識別信号が３Ｄコンテンツの画像信号であることを示しているとき、補正データ記憶部２２Ｌ-3D，２２Ｒ-3Dを選択する。なお、補正データ記憶部２２Ｌ-3Dには、３Ｄコンテンツの左目用画像を表示するときに色ムラを生じないように設定された補正データが予め記憶されている。また、補正データ記憶部２２Ｒ-3Dには、３Ｄコンテンツの右目用画像を表示するとき色ムラを生じないように設定された補正データが予め記憶されている。
【００８６】
補正部２４Ｌは、補正データ記憶部２２Ｌ-3Dから読み出された画素毎の補正データを用いてムラ補正を行い、ムラ補正後の画像信号を駆動部２５Ｌに出力する。補正部２４Ｒは、補正データ記憶部２２Ｒ-3Dから読み出された補正データを用いてムラ補正を行い、ムラ補正後の画像信号を駆動部２５Ｒに出力する。
【００８７】
駆動部２５Ｌは、上述のように補正部２４Ｌから供給されたムラ補正後の画像信号に基づき、液晶パネル１３１ｒ，１３１ｇ，１３１ｂの左目用表示領域を駆動する駆動信号を生成して液晶パネル１３１ｒ，１３１ｇ，１３１ｂに出力する。
【００８８】
駆動部２５Ｒは、上述のように補正部２４Ｒから供給されたムラ補正後の画像信号に基づき、液晶パネル１３１ｒ，１３１ｇ，１３１ｂの右目用表示領域を駆動する駆動信号を生成して液晶パネル１３１ｒ，１３１ｇ，１３１ｂに出力する。
【００８９】
また、画像表示装置１０は、左目用波長分割フィルタ１５６と右目用波長分割フィルタ１５７を介してスクリーン５０に画像を表示する。
【００９０】
このように、３Ｄコンテンツの画像を表示する場合、補正部２４Ｌでは、左目用波長分割フィルタ１５６を介して出射された光によって表示される画像の不均一性を補正するための補正データを用いてムラ補正が行われる。また、補正部２４Ｒは、右目用波長分割フィルタ１５７を介して出射された光によって表示される画像の不均一性を補正するための補正データを用いてムラ補正が行われる。したがって、表示されるコンテンツが３Ｄコンテンツであっても、３Ｄコンテンツの画像の不均一性を良好に補正することができる。
【００９１】
また、補正データ記憶部２２Ｌ-2D，２２Ｌ-3D，２２Ｒ-2D，２２Ｒ-3Dには、色ムラだけでなく輝度ムラを補正可能とする補正データを記憶させてもよい。
【００９２】
＜４．補正データの設定方法＞
次に、補正データ記憶部に記憶される補正データの設定方法について説明しておく。なお、補正データの設定は、例えば画像表示装置の製造工程またはサービス対応時に行う。
【００９３】
補正データの設定では、図１０に示すように、画像表示装置１０とスクリーン５０、画像信号出力装置６０、撮像装置８０、補正データ生成装置９０が用いられる。画像信号出力装置６０は、測定用の画像信号、例えば輝度が一定で無彩色あるいは単一色である画像の画像信号を画像表示装置１０に出力する。撮像装置８０は、画像表示装置１０によってスクリーン５０に表示された画像の撮像を行い画像信号を生成する。また、撮像装置８０は生成した画像信号を補正データ生成装置９０に供給する。補正データ生成装置９０は、測定装置やコンピュータ装置などを備えて構成されており、入力された画像信号に基づいてムラ状態を測定する。さらに、補正データ生成装置９０は、測定結果に基づきムラを打ち消して画像を均一とする補正データを生成して、補正データ記憶部２２Ｌ-2D，２２Ｌ-3D，２２Ｒ-2D，２２Ｒ-3Dに記憶させる。
【００９４】
ここで、２Ｄコンテンツの画像を表示する場合に用いる補正データ記憶部２２Ｌ-2D，２２Ｒ-2Dの補正データを設定する場合、補正データ生成装置９０は、画像信号出力装置６０から、測定用の画像信号を画像表示装置１０の信号処理部２１Ｌに入力させる。画像表示装置１０は、補正部２４Ｌでムラ補正を行うことなく、また左目用波長分割フィルタ１５６を用いることなく画像をスクリーン５０に表示する。撮像装置８０は、スクリーン５０に表示された画像の撮像を行い画像信号を生成する。また、撮像装置８０は生成した画像信号を補正データ生成装置９０に供給する。補正データ生成装置９０は、撮像装置８０で生成された画像信号に基づきムラ状態を測定して、上述のように測定結果に基づいた補正データの生成や補間演算等を行い、画素位置毎の補正データを生成して、補正データ記憶部２２Ｌ-2Dに記憶させる。
【００９５】
次に、補正データ生成装置９０は、画像信号出力装置６０を制御して、測定用の画像信号を画像表示装置１０の信号処理部２１Ｒに入力させる。画像表示装置１０は、補正部２４Ｒでムラ補正を行うことなく、また右目用波長分割フィルタ１５７を用いることなく画像をスクリーン５０に表示する。撮像装置８０は、スクリーン５０に表示された画像の撮像を行い画像信号を生成する。また、撮像装置８０は生成した画像信号を補正データ生成装置９０に供給する。補正データ生成装置９０は、撮像装置８０で生成された画像信号に基づきムラ状態を測定して、測定結果や補間演算等に基づき画素位置毎の補正データを生成して、補正データ記憶部２２Ｒ-2Dに記憶させる。このようにして、補正データ記憶部２２Ｌ-2D，２２Ｒ-2Dには、２Ｄコンテンツの画像を表示するときに最適な補正データを記憶させることができる。
【００９６】
３Ｄのコンテンツの画像を表示する場合に用いる補正データ記憶部２２Ｌ-3D，２２Ｒ-3Dの補正データを設定する場合、補正データ生成装置９０は、画像信号出力装置６０から、測定用の画像信号を画像表示装置１０の信号処理部２１Ｌに入力させる。画像表示装置１０は、補正部２４Ｌでムラ補正を行うことなく、また左目用波長分割フィルタ１５６を用いて画像をスクリーン５０に表示する。撮像装置８０は、スクリーン５０に表示された画像の撮像を、左目用波長分割フィルタ１５６と等しい特性の波長分割フィルタを介して行うことで画像信号を生成する。また、撮像装置８０は生成した画像信号を補正データ生成装置９０に供給する。補正データ生成装置９０は、撮像装置８０で生成された画像信号に基づきムラ状態を測定して、測定結果や補間演算等に基づき画素位置毎の補正データを生成して、補正データ記憶部２２Ｌ-3Dに記憶させる。
【００９７】
次に、補正データ生成装置９０は、画像信号出力装置６０を制御して、測定用の画像信号を画像表示装置１０の信号処理部２１Ｒに入力させる。画像表示装置１０は、補正部２４Ｒでムラ補正を行うことなく、また右目用波長分割フィルタ１５７を用いて画像をスクリーン５０に表示する。撮像装置８０は、スクリーン５０に表示された画像の撮像を、右目用波長分割フィルタ１５７と等しい特性の波長分割フィルタを介して行うことで画像信号を生成する。また、撮像装置８０は生成した画像信号を補正データ生成装置９０に供給する。補正データ生成装置９０は、撮像装置８０で生成された画像信号に基づきムラ状態を測定して、測定結果や補間演算等に基づき画素位置毎の補正データを生成して、補正データ記憶部２２Ｒ-3Dに記憶させる。このようにして、補正データ記憶部２２Ｌ-3D，２２Ｒ-3Dには、３Ｄコンテンツの画像を表示するときに最適な補正データを記憶させることができる。
【００９８】
このような処理を製造工程またはサービス対応時に行うようにすれば、補正データ記憶部２２Ｌ-2D，２２Ｌ-3D，２２Ｒ-2D，２２Ｒ-3Dに、表示特性の不均一性の補正を最適に補正可能とする補正データを記憶させることができる。
【００９９】
また、上述の形態では、波長分割方式を用いて３Ｄコンテンツの画像を表示している。しかし、本願発明は、２Ｄコンテンツの画像の表示と波長分割方式を用いた３Ｄコンテンツの画像表示を行う場合に限定されるものではない。例えば、光学フィルタとして偏光フィルタを用いる偏光表示方式等の他の方式を用いて３Ｄコンテンツの画像を表示する場合、光学フィルタの特性の違いによって表示特性の不均一性を生じてしまう場合がある。このような場合、本願発明を適用すれば、波長分割方式を用いた場合と同様に表示特性の不均一性を補正することができる。
【０１００】
なお、この発明の実施の形態は、例示という形態で本発明を開示しており、本発明の要旨を逸脱しない範囲で当業者が実施の形態の修正や代用をなし得ることは自明である。すなわち、本発明の要旨を判断するためには、特許請求の範囲を参酌すべきである。
【産業上の利用可能性】
【０１０１】
この発明に係る画像表示装置および画像表示方法では、左目用光学フィルタを介して出射された光によって表示される画像の不均一性を補正するための補正データを用いて、左目用画像信号の補正が行われる。また、右目用光学フィルタを介して出射された光によって表示される画像の不均一性を補正するための補正データを用いて、右目用画像信号の補正が行われる。この補正後の左目用画像信号と右目用画像信号に基づいて左目用画像と右目用画像が形成されて、左目用画像の光が左目用光学フィルタを介して出射されて、右目用画像の光が右目用光学フィルタを介して出射される。このため、スクリーンに左目用画像と右目用画像を重ね合わせて立体画像表示を行う場合に好適である。
【図面の簡単な説明】
【０１０２】
【図１】平面画像と立体画像を表示したときの、表示画像の特性変化を例示した図である。
【図２】左目用波長分割フィルタと右目用波長分割フィルタの機能を説明するための図である。
【図３】画像表示装置の光学系の構成を示す図である。
【図４】投射部に入射される画像を例示した図である。
【図５】画像表示装置の電気系の構成を示すブロック図である。
【図６】補正データを説明するための図である。
【図７】補正データの構成を模式的に示した図である。
【図８】補正部の構成を示す図である。
【図９】補正データ決定部の動作を説明するための図である。
【図１０】補正データの設定方法を説明するための図である。
【符号の説明】
【０１０３】
１０・・・画像表示装置、１１・・・光源部、１２・・・照明光学部、１３・・・画像形成部、１４・・・画像合成部、１５・・・投射部、２１Ｌ，２１Ｒ・・・信号処理部、２２Ｌ-2D，２２Ｌ-3D，２２Ｒ-2D，２２Ｒ-3D・・・補正データ記憶部、２３・・・補正データ選択部、２４Ｌ，２４Ｒ・・・補正部、２５Ｌ，２５Ｒ・・・駆動部、２９・・・タイミング信号生成部、５０・・・スクリーン、６０・・・画像信号出力装置、７０・・・制御装置、８０・・・撮像装置、９０・・・補正データ生成装置、１１１・・・光源、１１２・・・反射集光鏡、１２１・・・コリメータレンズ、１２２・・・光学フィルタ、１２３・・・ＭＬＡ、１２４ｒ，１２４ｇ・・・ダイクロイックミラー、１２５，１２６，１２７・・・反射ミラー、１３１ｒ，１３１ｇ，１３１ｂ・・・液晶パネル、１４１・・・ダイクロイックプリズム、１４２ｒ，１４２ｂ・・・干渉フィルタ、１５１・・・リレーレンズ、１５２，１５３・・・導光部、１５２１，１５３１・・・  入射面、１５２２，１５２３，１５３２，１５３３・・・反射面、１５２４，１５３４・・・出射面、１５４・・・左目用投影レンズ、１５５・・・右目用投影レンズ、１５６・・・左目用波長分割フィルタ、１５７・・・右目用波長分割フィルタ、１５８・・・レンズシフト機構、２４１ｒ，２４１ｇ，２４１ｂ・・・補正データ決定部、２４２ｒ，２４２ｇ，２４２ｂ・・・加算器
【図２】
2010122344.tif 000003
【図３】
2010122344.tif 000004
【図５】
2010122344.tif 000005
【図６】
2010122344.tif 000006
【図７】
2010122344.tif 000007
【図８】
2010122344.tif 000008
【図９】
2010122344.tif 000009
【図１０】
2010122344.tif 000010
【図１】
2010122344.tif 000011
【図４】
2010122344.tif 000012